(57)【要約】      （修正有）【課題】軽荷状態で波浪中を航行する際にも波浪による抵抗を低減することが可能な肥大船を得る。【解決手段】船首部２の船底部は略Ｖ字状となっており、船首部２の側面部には凸部７が形成されている。ＤＷＬ’におけるウォーターラインにおいて、船体中心線上における船体前端の点と、船首端２ａから水平距離（０．０２×Ｌｐｐ）後方位置の垂直面とウォーターラインとの交点と、を結んだ直線は、船体中心線から計った角度γが０°＜γ＜５５°となっている。また、船首端２ａから水平距離（０．０１２５×Ｌｐｐ〜０．０５×Ｌｐｐ）後方となる範囲におけるフレームラインにおいて、凸部７は、ＢＷＬ”とＤＷＬとの間に、ＢＷＬ”における半幅ｂｂｗｌ”及びＤＷＬにおける半幅ｂｄｗｌよりも半幅が大きくなる箇所がある。【選択図】図６
2011178334.tif 000002
【特許請求の範囲】
【請求項１】
Ｃｂ＝∇／（Ｌｐｐ×Ｂ×ｄ）が０．８以上の肥大船であって、
船首部の船底部は略Ｖ字状となっており、
該船首部の側面部には凸部が形成され、
最大喫水線ＤＷＬから所定の高さだけ高い位置をＤＷＬ’（ＤＷＬ＋Ｖ2 ／２ｇ）、最小喫水線ＢＷＬから所定の高さだけ高い位置をＢＷＬ’（ＢＷＬ＋Ｖ2 ／４ｇ）、該ＢＷＬ’に波浪による水面上昇を考慮した高さ３ｍを付加した高さをＢＷＬ”とした場合、
前記ＤＷＬ’におけるウォーターラインにおいて、
船体中心線上における船体前端の点（Ｅ）と、船首端から水平距離Ｃ（０．０２×Ｌｐｐ）後方位置の垂直面（Ｂ−Ｂ）と前記ウォーターラインとの交点（Ｄ）と、を結んだ直線（ａ）は、船体中心線から計った角度γが０°＜γ＜５５°となり、
船首端から水平距離Ｚ（０．０１２５×Ｌｐｐ〜０．０５×Ｌｐｐ）後方となる範囲におけるフレームラインにおいて、
前記凸部は、前記ＢＷＬ”と前記ＤＷＬとの間に、前記ＢＷＬ”における半幅及び前記ＤＷＬにおける半幅よりも当該凸部の半幅が大きくなる箇所があることを特徴とする肥大船。
ＦＰ：Ｆｏｒｅ  Ｐｅｒｐｅｎｄｉｃｕｌａｒの略で、最大喫水線ＤＷＬと交わる船首先端位置（垂直線）
Ｌｐｐ：ＦＰ位置から舵軸中心位置（ＡＰ）までを水平距離で計った肥大船の長さ
ｄ：肥大船の最大喫水線ＤＷＬ下の深さ
Ｂ：肥大船の全幅
∇：ｄに対応する型排水容積
Ｖ：船速
ｇ：重力加速度
【請求項２】
船首端から水平距離Ｙ（０．０２５×Ｌｐｐ）後方となる位置におけるフレームラインにおいて、
前記凸部の半幅の最大値をｂｍａｘとした場合、
前記ＤＷＬ’における半幅ｂｄｗｌ’がｂｄｗｌ’＜０．９７×ｂｍａｘとなり、
前記ＢＷＬ”における半幅ｂｂｗｌ”がｂｂｗｌ”＜０．９５×ｂｍａｘとなっていることを特徴とする請求項１に記載の肥大船。
【発明の詳細な説明】
【技術分野】
【０００１】
本発明は、タンカーやバルクキャリアー等の肥大船に関し、特に波浪中を航行する際の波浪による抵抗を低減することが可能な肥大船に関する。
【背景技術】
【０００２】
海域を航行する船舶は、水から抵抗を受ける。この抵抗は、波浪のない平水中を航行する場合に比べると、波浪中を航行する場合の方が大きくなる。つまり、波浪中を航行する船舶が受ける全抵抗ＲT は、ＲT ＝ＲS ＋ＲAWとなる。ここで、ＲS は、平水中を航行する場合に船舶が受ける抵抗を示す。また、ＲAWは、波浪による抵抗を示す。したがって、波浪中を航行する船舶が受ける抵抗は、波浪のない平水中を航行する場合に比べると、波浪による抵抗ＲAW分だけ大きくなってしまう。この波浪による抵抗ＲAWは、船首部に向かってくる波（以下、入射波という）の反射等によって発生する。特に、タンカーやバルクキャリアー等のたくさんの荷物を運ぶ肥大船は、船首がかなり肥えているため、航行中に受ける波浪による抵抗ＲAWが大きくなる。
【０００３】
そこで、従来の肥大船には、航行中に受ける抵抗を低減させるために種々の船首形状が提案されている。このような肥大船においては、例えば満載状態で航行する際の波浪による抵抗ＲAWを低減するものとして、「ＦＰより前方で、最大喫水線上の船首において、すべての水線面における、船体中心線上の点Ｅと、船体前端から計った水平距離Ｃ（２％×ＬOA）後方位置の垂直面Ｂ−Ｂとの交点Ｄを結んだ直線ａの、船体中心線から計った角度γを、０°＜γ≦５０°に設定したので、船首部分を前方にできるだけ尖らせることができ、船首での前方への波反射、波崩れ現象を緩和し、波浪中抵抗増加を低減できる。」（例えば特許文献１参照）というものが提案されている。なお、特許文献１に記載の「波浪中抵抗増加」は、本発明の波浪による抵抗ＲAWと同義のものである。
【０００４】
図１０は従来の肥大船の最大喫水線における船首水線（ウォーターライン）の一例であり、図１０（Ａ）はブラントネス係数の大きい船首水線を示し、図１０（Ｂ）はブラントネス係数の小さい船首水線を示す。また、下記の数式は、ブラントネス係数Ｂｆの計算式である。
【０００５】
【数１】
2011178334.tif 000003
【０００６】
つまり、従来の肥大船は、船首水線の平均傾斜角であるブラントネス係数Ｂｆを小さくすることにより、満載状態で航行する際の波浪による抵抗ＲAWを低減している。
【先行技術文献】
【特許文献】
【０００７】
【特許文献１】特開２０００−３３５４７８号公報（要約、図２）
【発明の概要】
【発明が解決しようとする課題】
【０００８】
タンカーやばら積み貨物船等の肥大船は、航海の約半分が軽荷状態での運航となる。このため、満載状態のみならず、軽荷状態においても波浪による抵抗ＲAWを低減することは非常に重要である。しかしながら、従来の肥大船は、満載状態で航行する際の波浪による抵抗ＲAWを低減したものであり、軽荷状態で航行する際の波浪による抵抗ＲAWの低減に関しては考慮されていなかった。
【０００９】
図１１は、波浪時における入射波が船底部に及ぼす影響を説明するための説明図である。この図１１は、大型肥大船が実航海中に遭遇する頻度が高い短波長の向波が船底部に及ぼす影響について示している。なお、図１１（Ａ）は、満載状態の肥大船の船首部２を示している（側面図）。図１１（Ｂ）は、軽荷状態の肥大船の船首部２を示している（側面図）。図１１（Ｃ）は、図１１（Ｂ）のＸ−Ｘ断面模式図である。
【００１０】
図１１からわかるように、入射波の水粒子の円運動は、深さ方向に指数関数的に減衰する。このため、図１１（Ａ）に示すように、満載状態の肥大船においては、入射波の水粒子の運動は船体の側面に限定される。しかしながら、図１１（Ｂ）に示すように、軽荷状態の肥大船においては、入射波の水粒子の運動は船底部付近でも比較的大きい。このとき、図１１（Ｃ）に示すように、船底部に入射した波の水分子の速度に起因して、肥大船は鉛直方向の速度変動を受ける。また、船底部へ入射した波は、船底部の存在によって進行が妨げられるので、船体の側方へ拡散される。例えば、短波長域の波浪による大型肥大船への抵抗においては、軽荷時と満載時のブラントネス係数Ｂｆを同程度とした場合でも、軽荷時の波浪による抵抗ＲAWは、満載時の波浪による抵抗ＲAWの倍程度に増大する。
【００１１】
つまり、従来の肥大船は、軽荷状態で波浪中を航行する際、船底部に入射する波の影響により、波浪による抵抗ＲAWが著しく増加してしまうという課題があった。
【００１２】
本発明は、上述のような課題を解決するためになされたものであり、軽荷状態で波浪中を航行する際にも波浪による抵抗ＲAWを低減することが可能な肥大船を得ることを目的とする。
【課題を解決するための手段】
【００１３】
本発明に係る肥大船は、Ｃｂ＝∇／（Ｌｐｐ×Ｂ×ｄ）が０．８以上の肥大船であって、船首部の船底部は略Ｖ字状となっており、該船首部の側面部には凸部が形成され、最大喫水線ＤＷＬから所定の高さだけ高い位置をＤＷＬ’（ＤＷＬ＋Ｖ2 ／２ｇ）、最小喫水線ＢＷＬから所定の高さだけ高い位置をＢＷＬ’（ＢＷＬ＋Ｖ2 ／４ｇ）、該ＢＷＬ’に波浪による水面上昇を考慮した高さ３ｍを付加した高さをＢＷＬ”とした場合、
ＤＷＬ’におけるウォーターラインにおいて、船体中心線上における船体前端の点（Ｅ）と、船首端から水平距離Ｃ（０．０２×Ｌｐｐ）後方位置の垂直面（Ｂ−Ｂ）と前記ウォーターラインとの交点（Ｄ）と、を結んだ直線（ａ）は、船体中心線から計った角度γが０°＜γ＜５５°となり、
船首端から水平距離Ｚ（０．０１２５×Ｌｐｐ〜０．０５×Ｌｐｐ）後方となる範囲におけるフレームラインにおいて、凸部は、ＢＷＬ”とＤＷＬとの間に、ＢＷＬ”における半幅及びＤＷＬにおける半幅よりも当該凸部の半幅が大きくなる箇所があるものである。
ここで、ＦＰ、Ｌｐｐ、ｄ、Ｂ、∇、Ｖ及びｇは、
ＦＰ：Ｆｏｒｅ  Ｐｅｒｐｅｎｄｉｃｕｌａｒの略で、最大喫水線ＤＷＬと交わる船首先端位置（垂直線）
Ｌｐｐ：ＦＰ位置から舵軸中心位置（ＡＰ）までを水平距離で計った肥大船の長さ
ｄ：肥大船の最大喫水線ＤＷＬ下の深さ
Ｂ：肥大船の全幅
∇：ｄに対応する型排水容積
Ｖ：船速
ｇ：重力加速度
を示す。
【発明の効果】
【００１４】
本発明においては、ＤＷＬ’におけるウォーターラインにおいて、０°＜γ＜５５°としている。このため、満載状態で波浪中を航行する際の波浪による抵抗ＲAWを低減することができる。
また、船底部形状を略Ｖ字状とすることにより、軽荷状態で波浪中を航行する際の波浪による抵抗ＲAWを低減することもできる。
また、船首端から水平距離Ｚ（０．０１２５×Ｌｐｐ〜０．０５×Ｌｐｐ）後方となる範囲におけるフレームラインにおいて、凸部は、ＢＷＬ”とＤＷＬとの間に、ＢＷＬ”における半幅及びＤＷＬにおける半幅よりも大きくなる箇所がある。つまり、船底部形状を略Ｖ字状としたことで減少する排水容積（積載量）を、船底部の略Ｖ字状より上方で凸部を設けることにより確保している。一般的に、船首部の側面部に凸部を設けることにより、平水中を航行する際の抵抗ＲS の増加が懸念される。しかしながら、このような位置（ＢＷＬ”とＤＷＬとの間）に凸部を設けることにより、平水中を航行する際の抵抗ＲS の増加を抑制することができることを見出した。このため、船底部形状を略Ｖ字状として減少した排水容積（積載量）を、平水中を航行する際の抵抗ＲS の増加を抑制しながら、船底部の略Ｖ字状よりも上方で確保することができる。
【図面の簡単な説明】
【００１５】
【図１】一般的な船舶の一例を示す側面図である。
【図２】一般的な船舶の一例を示す船首部拡大図である。
【図３】船底部に生じる入射波の拡散現象を船舶１の強制上下運動にモデル化した説明図である。
【図４】放射流体力が小さくなる船首形状（Ｘ−Ｘ断面形状）の一例を示す説明図である。
【図５】放射流体力と船体断面形状との関係を示す説明図である。
【図６】本発明の実施の形態に係る船首部の形状を示す説明図である。
【図７】本発明の実施の形態に係る船首部の形状を示す説明図である。
【図８】本発明の実施の形態に係る船舶の波浪時の抵抗を示す特性図である。
【図９】本発明の実施の形態に係る船舶の平水時の抵抗を示す特性図である。
【図１０】従来の肥大船の最大喫水線における船首水線（ウォーターライン）の一例である。
【図１１】波浪時における入射波が船底部に及ぼす影響を説明するための説明図である。
【発明を実施するための形態】
【００１６】
図１は、一般的な船舶の一例を示す側面図である。図２は、一般的な船舶の一例を示す船首部拡大図である。なお、図２（Ａ）は船首部２の側面図を示しており、図２（Ｂ）は図２（Ａ）のＡ−Ａ，Ａ’−Ａ’断面図を示している。
【００１７】
まず、図１及び図２を用いて、本発明で使用している用語の定義及び説明を行う。
ＤＷＬは船舶１が航行可能な最大喫水線、つまり満載時の喫水線を表す。ＤＷＬ’は、満載状態で平水中を航走する際に、最大喫水線ＤＷＬから盛り上がる水面高さを示している。このＤＷＬ’は、ＤＷＬ＋Ｖ2 ／２ｇで求めることができる。ここで、Ｖは船舶１の速度を示し、ｇは重力加速度を示す。ＦＰは、Ｆｏｒｅ  Ｐｅｒｐｅｎｄｉｃｕｌａｒの略で、最大喫水線ＤＷＬと交わる船首先端位置（垂直線）である。Ｌｐｐは、ＦＰ位置から舵軸中心位置ＡＰ（Ａｆｔ  Ｐｅｒｐｅｎｄｉｃｕｌａｒ）までを水平距離で計った長さである。ＬOAは船舶１の全長である。また、ＢＷＬは船舶１が航行可能な最小喫水線、つまり軽荷時の喫水線を表す。
本発明における肥大船とは、タンカーやバルクキャリアー等のたくさんの荷物を運ぶ肥った船舶で、Ｃｂ＝∇／（Ｌｐｐ×Ｂ×ｄ）が約０．８以上の船舶を指す。ここで、ｄは船舶の最大喫水線ＤＷＬ下の深さで、Ｂは船舶の全幅、∇はｄに対応する型排水容積である。
【００１８】
γは、以下のように定義する。まず、ウォーターラインにおいて、船体中心線上における船体前端の点を点Ｅとする。また、船首端２ａから水平距離Ｃ（０．０２×Ｌｐｐ）だけ後方位置となる垂直面を垂直面Ｂ−Ｂとする。また、ウォーターライン４と垂直面Ｂ−Ｂとの交点を交点Ｄとする。また、交点Ｄと点Ｅとを結んだ直線を直線ａとする。そして、船体中心線から計った直線ａの角度をγ（尖り角）と定義する。
【００１９】
続いて、本実施の形態に係る船舶１（肥大船）の船首部形状の詳細について説明する。
流体学的にみると、図１１（Ｃ）で示したような船底部に生じる入射波の散乱現象（拡散現象）は、船底部に作用する鉛直方向の速度変動と同一の周期・振幅で運動する船体上下運動により生じる放射波の発生と等価であると考えることができる。
そこで、本実施の形態では、まず、図３に示すように、船底部に生じる入射波の散乱現象を、船舶１を強制的に上下運動させることにより生じる放射波の発生に置き換えてモデル化した。そして、この放射波が小さくなるような船首形状を検討した。つまり、船体断面（図１１（Ｂ）のＸ−Ｘ断面）を強制上下運動した際、この断面に作用する流体力（放射流体力）が小さくなる船首形状（Ｘ−Ｘ断面形状）を検討した。
【００２０】
図４は、放射流体力が小さくなる船首形状（Ｘ−Ｘ断面形状）の一例を示す説明図である。図４では、（Ａ）〜（Ｃ）に３つの船首部２の形状を示している。以下、図４（Ａ）に示す船首形状を船型１３、図４（Ｂ）に示す船首形状を船型１４、図４（Ｃ）に示す船首形状を船型１５として説明する。なお、（Ａ）〜（Ｃ）に記載の点線は、船首部より後方の船体形状を示すものである。また、（Ａ）〜（Ｃ）に記載の破線は、従来の船首部形状（以下、従来船型という）の一例を示すものである。
【００２１】
船体断面に作用する放射流体力を低減するためには、最小喫水線ＢＷＬ（軽荷状態の喫水線）より下部の排水容積を減少させることが効果的である。
【００２２】
例えば、船型１３は、船首幅（以下、船首幅の半分の幅を示す場合、半幅という）を従来よりも狭くすることにより、最小喫水線ＢＷＬより下部の排水容積を減少させている。また、船型１４及び船型１５は、船底部の形状を略Ｖ字状とすることにより、最小喫水線ＢＷＬより下部の排水容積を減少させている。特に、船底部の形状を略Ｖ字状とすることにより、船底部が流体（水）に与える運動量（力）をフラット形状な船底部よりも小さくできる。このため、図５に示すように、船底部の形状を略Ｖ字状とすることで、放射波をより小さくすることができる。
【００２３】
しかしながら、船型１３は、従来船型に比べ、最小喫水線ＢＷＬより上方の排水容積も減少してしまう。このため、船首部２に船型１３の形状を採用した船舶１は、従来の船舶よりも積載量が減少してしまう。
一方、船型１４は、船首部２の船底部の断面形状を略Ｖ字状とすることにより、従来船型と同様の排水容積を確保できる。しかしながら、船型１４は、ＤＷＬ’付近の半幅が従来船型の半幅よりも大きくなってしまう。このため、ＤＷＬ’付近のブラントネス係数Ｂｆが大きくなり、満載状態で波浪中を航行する際、波浪による抵抗ＲAWの増加が懸念される。
【００２４】
そこで、本実施の形態では、船首部２の形状として船型１５の形状を採用することとした。船型１５は、船首部２の船底部の断面形状を略Ｖ字状とすることにより、最小喫水線ＢＷＬより下部の排水容積を減少させることができる。また、ＤＷＬ’付近にくびれ６を形成しているため、ＤＷＬ’付近のブラントネス係数Ｂｆが大きくなることも抑制している。そして、船底部の断面形状を略Ｖ字状としたことにより満載状態（ＤＷＬの喫水以下）で減少した分の排水容積（積載量）を、船底部の略Ｖ字状より上方となる船首部２の側面に凸部７を設けることにより確保している。ここで、船首部２の側面に凸部７を設けることは、平水中を航行する際の抵抗ＲS の増加が懸念され、一般的には躊躇される。しかしながら、発明者らは鋭意検討を重ね、平水中を航行する際の抵抗ＲS の増加を抑制できる凸部７の形成位置等を見出した。これにより、船底部の断面形状を略Ｖ字状として減少した排水容積（積載量）を、平水中を航行する際の抵抗ＲS の増加を抑制しながら、船底部の略Ｖ字状よりも上方で確保している。なお、凸部７の形成位置等の詳細については後述する。
【００２５】
次に、本実施の形態に係る船首部２の具体的な形状について説明する。
図６及び図７は、本発明の実施の形態に係る船首部の形状を示す説明図である。ここで、図６（Ａ）と図７（Ａ）は同じ船首部２の形状を示すものであり、船首部２の側面図を示している。図６（Ｂ）は、船首部２のフレームラインを示している。この図６（Ｂ）に示す各フレームラインは、図６（Ａ）に示す、０．０１２５×Ｌｐｐ、０．０２５×Ｌｐｐ及び０．０５×Ｌｐｐ位置でのフレームラインである。また、図７（Ｂ）は、図６（Ａ）及び図７（Ａ）のＤＷＬ’位置におけるウォーターラインを示している。なお、図６及び図７では、従来の船首部形状を破線で示している。この従来の船首部は、船首部の先端下部が略球状となった、いわゆるバルバスバウである。また、図７（Ｂ）では、本実施の形態に係る船首部２を表す場合には図２（Ｂ）の各符号に符号「１」を追加して示し、従来の船首部を表す場合には図２（Ｂ）の各符号に符号「２」を追加して示している。
【００２６】
ここで、本実施の形態に係る船首部２の具体的な形状を説明する前に、図６及び図７に示すＢＷＬ’及びＢＷＬ”について説明する。
ＢＷＬ’は、軽荷状態で平水中を航走する際に、最小喫水線ＢＷＬから盛り上がる水面高さを示している。このＢＷＬ’は、ＢＷＬ＋Ｖ2 ／４ｇで求めることができる。参考として、軽荷状態で平水中を航走する際の盛り上がり水面１２を、図６（Ａ）及び図７（Ａ）に示す。図６（Ａ）及び図７（Ａ）には、ＤＷＬ’の参考として、満載状態で平水中を航走する際の盛り上がり水面１１も示している。
ＢＷＬ”は、ＢＷＬ’に経済運航時の波浪による水面上昇を考慮した高さ３ｍを付加した高さである。
【００２７】
図６及び図７に示すように、船首部２は船型１５の形状（図４（Ｃ））を採用している。つまり、船底部の形状は略Ｖ字状となっており、ＤＷＬ’付近にはくびれ６が形成され、側面部には凸部７が設けられている。
【００２８】
より詳しくは、ＤＷＬ’におけるウォーターラインにおいてγ１が０°＜γ＜５５°となるように、くびれ６が形成されている。また、本実施の形態に係る船首部２は、側面視において船首部先端が略直線状となる、いわゆるレッジバウとなっている。このため、ＤＷＬ’におけるウォーターラインにおいて、本実施の形態に係る船首部２のγ１は、従来の船首部のγ２よりも小さくすることができる。したがって、本実施の形態１に係る船舶１は、満載状態で波浪中を航行する際の波浪による抵抗ＲAWを従来の船舶よりも低減することが可能となる。
なお、船首部２は、必ずしもレッジバウである必要はない。ＤＷＬ’におけるウォーターラインにおいてγ１が０°＜γ＜５５°となるように、くびれ６が形成されていればよい。
【００２９】
また、凸部７は、船首端２ａから水平距離Ｚ（０．０１２５×Ｌｐｐ〜０．０５×Ｌｐｐ）後方となる範囲におけるフレームラインにおいて、ＢＷＬ”とＤＷＬとの間に、ＢＷＬ”における半幅ｂｂｗｌ”及びＤＷＬにおける半幅ｂｄｗｌよりも半幅が大きくなる箇所がある。このように凸部７を形成することにより、平水中を航行する際の抵抗ＲS の増加を抑制できることがわかった。つまり、船底部の形状を略Ｖ字状として減少した排水容積（積載量）を、平水中を航行する際の抵抗ＲS の増加を抑制しながら、船底部の略Ｖ字状よりも上方で確保できることがわかった。
また、より好ましくは、船首端から水平距離Ｙ（０．０２５×Ｌｐｐ）後方となる位置におけるフレームラインにおいて、ＤＷＬ’におけるｂｄｗｌ’がｂｄｗｌ’＜０．９７×ｂｍａｘとなり、ＢＷＬ”における半幅ｂｂｗｌ”がｂｂｗｌ”＜０．９５×ｂｍａｘとなるように設定することで、平水中を航行する際の抵抗ＲS の増加をより抑制できることがわかった。なお、ｂｍａｘとは、船首端から水平距離Ｙ（０．０２５×Ｌｐｐ）後方となる位置のフレームラインにおける凸部７の最大半幅である。
【００３０】
このように構成された船首部２を有する船舶１の抵抗低減効果を図８及び図９に示す。
図８は、本発明の実施の形態に係る船舶の波浪時の抵抗（波浪による抵抗ＲAWに相当するもの）を示す特性図である。ここで、図８（Ａ）は、満載状態の船舶１にかかる波浪時の抵抗（波浪による抵抗ＲAWに相当するもの）を示す。図８（Ｂ）は、軽荷状態の船舶１にかかる波浪時の抵抗（波浪による抵抗ＲAWに相当するもの）を示す。
また、図９は、本発明の実施の形態に係る船舶１の平水時の抵抗（平水中を航行する際の抵抗ＲS に相当するもの）を示す特性図である。ここで、図９（Ａ）は、満載状態の船舶１にかかる平水時の抵抗（平水中を航行する際の抵抗ＲS に相当するもの）を示す。図９（Ｂ）は軽荷状態の船舶１にかかる平水時の抵抗（平水中を航行する際の抵抗ＲS に相当するもの）を示す。
なお、図８及び図９には、従来の船舶（図６に破線で示した船首部形状を有する船舶）にかかる抵抗値も示している。また、図８及び図９に示す値は、模型を用いた試験結果である。
【００３１】
図８（Ａ）に示すように、本実施の形態に係る船舶１が満載状態で波浪中を航行する場合、従来の船舶に比べて、波浪時の抵抗（波浪による抵抗ＲAWに相当するもの）を約２０％低減することができる。また、図８（Ｂ）に示すように、本実施の形態に係る船舶１が軽荷状態で波浪中を航行する場合、従来の船舶に比べて、波浪時の抵抗（波浪による抵抗ＲAWに相当するもの）を約１０％低減することができる。
また、図９（Ａ）及び図９（Ｂ）に示すように、本実施の形態に係る船舶１が平水中を航行する場合、満載状態及び軽荷状態のいずれにおいても、平水時の抵抗（平水中を航行する際の抵抗ＲS に相当するもの）は従来の船舶と同様となることがわかる。
【符号の説明】
【００３２】
１  船舶、２  船首部、２ａ  船首端、６  くびれ、７  凸部、１１  盛り上がり水面（満載時）、１２  盛り上がり水面（軽荷時）、１３〜１５  船型。
【図１】
2011178334.tif 000004
【図２】
2011178334.tif 000005
【図３】
2011178334.tif 000006
【図４】
2011178334.tif 000007
【図５】
2011178334.tif 000008
【図６】
2011178334.tif 000009
【図７】
2011178334.tif 000010
【図８】
2011178334.tif 000011
【図９】
2011178334.tif 000012
【図１０】
2011178334.tif 000013
【図１１】
2011178334.tif 000014